(57)【要約】【課題】照明器具へのアクセスを容易とし、ランプ交換やエーミング角の調整等のメンテナンス作業を容易にすることができる照明装置を提供する。【解決手段】壁面或いは当該壁面に設置された広告看板２の上側から被照射面２Ａの前方に突出するように設けられるアーム４と、放電ランプ１１を内蔵した照明器具５とを有し、前記アーム４の突出方向先端に連結される連結部９を前記照明器具５に設け、前記照明器具５を前記被照射面２Ａの上側前方に配置し、前記被照射面２Ａを投光照明する照明装置１であって、前記放電ランプ１１の取出口２０及び前記照明器具５を傾動する操作レバー９０の両方を、前記照明器具５の右側又は左側の面に設けると共に、前記連結部９を中心に前記照明器具５を水平面内で回動可能に構成し、メンテナンス時に前記照明器具５を回動させて前記操作レバー９０及び前記取出口２０を前記壁面側に引き寄せ可能にした。【選択図】図４
2008218183.tif 000002
【特許請求の範囲】
【請求項１】
壁面或いは当該壁面に設置された看板の上側から被照射面の前方に突出するように設けられるアームと、ランプを内蔵した照明器具とを有し、前記アームの突出方向先端に連結される連結部を前記照明器具に設け、前記照明器具を前記被照射面の上側前方に配置し、前記被照射面を投光照明する照明装置であって、
前記ランプの取出口及び前記照明器具を傾動する操作子の両方を、前記照明器具の左右のいずれかの同じ側の面に設けると共に、前記連結部を中心に前記照明器具を水平面内で回動可能に構成し、メンテナンス時に前記照明器具を回動させて前記操作子及び前記取出口を前記壁面側に引き寄せ可能にしたことを特徴とする照明装置。
【請求項２】
請求項１に記載の照明装置において、
前記照明器具の回動範囲を、０°＜θ＜９０°とし、
前記被照射面を照明するときの配置位置である照明位置と、メンテナンスを実施する時の配置位置であるメンテナンス位置との間に規制したことを特徴とする照明装置。
【請求項３】
請求項１又は２に記載の看板照明装置において、
前記被照射面から前記連結部の回動中心までの距離を約０．６Ｍ以下とし、
前記照明器具を前記メンテナンスを実施する時の位置まで回動させたときに、前記被照射面から前記ランプの取出口及び前記操作子の各々までの距離を約０．５Ｍよりも短くしたことを特徴とする照明装置。
【発明の詳細な説明】
【技術分野】
【０００１】
本発明は、壁面或いは壁面に設置された看板の投光照明に用いられる照明装置に係り、特に、ランプ交換やエーミング調整等のメンテナンス作業を容易にする技術に関する。
【背景技術】
【０００２】
従来、屋外に設置される広告看板などを照明する照明装置が知られている。この種の照明装置は、アームを被照射面の上側より突き出し、その先端にランプを内蔵した照明器具を装着し、被照射面の前方から投光照明するのが一般的である（例えば、特許文献１参照）。
【特許文献１】特開平７−２１０１０２号公報
【発明の開示】
【発明が解決しようとする課題】
【０００３】
しかしながら、壁面からアームによって突出させて照明器具が配置されているため、ランプ交換やエーミング（光軸）角度の調整等のメンテナンス作業時に、作業者が壁面側（アームの根元側）から照明器具にアクセスすることが困難となる。そのため、通常は、照明器具の直下から照明器具にアクセスすることなるが、比較的高所に設置された広告看板を照明する照明装置の場合には、照明器具に直接アクセスするために高所作業車を用意する必要がある等、大掛かりなものとなる。
【０００４】
本発明は、上述した事情に鑑みてなされたものであり、照明器具へのアクセスを容易とし、ランプ交換やエーミング角の調整等のメンテナンス作業を容易にすることができる照明装置を提供することを目的とする。
【課題を解決するための手段】
【０００５】
上記目的を達成するために、本発明は、壁面或いは当該壁面に設置された看板の上側から被照射面の前方に突出するように設けられるアームと、ランプを内蔵した照明器具とを有し、前記アームの突出方向先端に連結される連結部を前記照明器具に設け、前記照明器具を前記被照射面の上側前方に配置し、前記被照射面を投光照明する照明装置であって、前記ランプの取出口及び前記照明器具を傾動する操作子の両方を、前記照明器具の左右のいずれかの同じ側の面に設けると共に、前記連結部を中心に前記照明器具を水平面内で回動可能に構成し、メンテナンス時に前記照明器具を回動させて前記操作子及び前記取出口を前記壁面側に引き寄せ可能にしたことを特徴とする。
【０００６】
また、本発明は、上記発明において、前記照明器具の回動範囲を、０°＜θ＜９０°とし、前記被照射面を照明するときの配置位置である照明位置と、メンテナンスを実施する時の配置位置であるメンテナンス位置との間に規制したことを特徴とする。
【０００７】
また、本発明は、上記発明において、前記被照射面から前記連結部の回動中心までの距離を約０．６Ｍ以下とし、前記照明器具を前記メンテナンスを実施する時の位置まで回動させたときに、前記被照射面から前記ランプの取出口及び前記操作子の各々までの距離を約０．５Ｍよりも短くしたことを特徴とする。
【発明の効果】
【０００８】
本発明によれば、照明器具をアームとの連結部を中心に傾動する操作子、及び、ランプの取出口の両方を照明器具の左右側面のいずれか同じ側の側面に設けると共に、連結部を中心に照明器具を水平面内で回動する回動機構を設け、メンテナンス時に操作子及び前記取出口を壁面側に引き寄せ可能にしたため、作業者は、メンテナンス時に照明器具を回動させて壁面側から手の届く範囲に、これら操作子及び取出口を引き寄せることが可能となる。これにより、高所作業車等を使用せずとも壁面側から照明器具にアクセスし、照明器具のランプ交換やエーミング調整等のメンテナンス作業を容易に行うことが可能となる。
【発明を実施するための最良の形態】
【０００９】
以下、図面を参照して本発明の実施形態について説明する。
図１は、本実施形態に係る照明装置の側面図である。照明装置１は、略矩形の広告看板２の上側３から前方に突出するように延びたアーム４と、このアーム４の先端に設けられ、広告看板２の広告面である被照射面２Ａを上側前方から投光照明する照明器具５を有している。なお、この図において、矢印Ａは、照明器具５の照明方向を示す。
【００１０】
図２は照明器具５の側面及び正面を共に示す図であり、図３は照明器具５の平面を示す図である。照明器具５は、光源たる放電ランプ１１と、当該放電ランプ１１が放射する光を広告看板２の被照射面２Ａに向けて反射する反射鏡１２とを収容する器具本体１０と、器具本体１０の前面の投光開口７を覆う、透過性樹脂から形成されたグローブ１３とを有している。器具本体１０の背面側には連結部９が設けられており、この連結部９にアーム４の先端が連結され、照明器具５が被照射面２Ａの上側前方に配置される。
【００１１】
上記放電ランプ１１は、例えば４００Ｗ（ワット）程度の比較的大出力のメタルハライドランプであり、発光管１１Ａを略円筒状の外管１１Ｂに収容して成り、器具本体１０の背面側に、外管１１Ｂが左右に延びる姿勢で取り付けられている。また、反射鏡１２の形状は、左右中心軸Ｃ１に対して略線対称な形状に形成され、照明器具５を中心として左右対称な配光制御が反射鏡１２によって行われる。さらに、この反射鏡１２は、左右中心軸Ｃ１方向に長軸を有する形状に形成され、反射鏡１２の配光が照射方向Ａに沿って延びる、いわゆる縦型配光となっており、本実施形態の照明器具５は、鉛直方向に延びる略矩形の比較的大型（例えば、縦×横の寸法が６Ｍ（メートル）×４Ｍ（メートル）程度）の広告看板２の照明に使用される。
【００１２】
ここで、器具本体１０の右側面１０Ａには、放電ランプ１１を器具本体１０から引き出して取り出す取出口２０が形成されており、放電ランプ１１を器具本体１０に装着した際には、当該放電ランプ１１の一端部に取り付けられたランプホルダー部１１Ｃが取出口２０から突出するように成されている。メンテナンス時に放電ランプ１１を交換する際には、上記ランプホルダー部１１Ｃを把持し、取出口２０より放電ランプ１１を器具本体１０から引き出して、新しいランプと交換する。
【００１３】
連結部９は、図２及び図３に示すように、器具本体１０の背後に設けられた本体連結片９１と、アーム４の先端が取り付けられるアーム連結片９２とを有し、これら本体連結片９１及びアーム連結片９２がピン９３によりヒンジ連結されており、このピン９３を回転中心として回動自在に成されている。アーム連結片９２の右側面９２Ａには、上記ピン９３を回転中心として器具本体１０を回転操作するための操作レバー９０と、この操作レバー９０の回転操作に応じて上記ピン９３を中心に本体連結片９１を回転させるギア盤９４が設けられている。したがって、この操作レバー９０を把持して回転操作することで、器具本体１０が鉛直方向に対して傾動され、照明器具５の照射方向Ａの角度、すなわち、エーミングの調整が可能となる。
【００１４】
アーム連結片９２は、上記アーム４の先端に２本のボルト１００、１０１により連結されており、特に、ボルト１００を回転軸として回転可能に成されている。これにより、アーム連結変器具本体１０がボルト１００を回転中心として水平面内で回転可能になされている。また、アーム連結片９２には、ボルト１００を中心とした略円弧状の回動規制溝９５が形成されており、アーム４に設けられた上記ボルト１０１が回動規制溝９５に係合する。
これらアーム４のボルト１０１と回動規制溝９５との掛止構造によって、図４（Ａ）及び図４（Ｂ）の平面図に示すように、照明器具５の回動範囲φは、被照射面２Ａを照明するときの照明器具５の配置位置である水平角θ＝０度の照明位置Ｐ１（図４（Ａ））と、メンテナンス時の照明器具５の配置位置である例えば水平角θ＝６０度となるメンテナンス位置Ｐ２（図４（Ｂ））との間に規制される。
【００１５】
換言すれば、回動規制溝９５により、照明器具５の回動が照明位置Ｐ１と、メンテナンス位置Ｐ２との間に規制されているため、メンテナンス位置Ｐ２で照明器具５に対してメンテナンス作業を行った後は、回動規制溝９５とボルト１０１とによって回動が規制されるまで照明器具５を回動させることで、照明器具５を照明位置Ｐ１に容易に復帰させることができる。
【００１６】
照明器具５は、図４（Ａ）及び図４（Ｂ）に示すように、上記操作レバー９０及び放電ランプ１１の取出口２０の両方が設けられている照明器具５の右側（器具本体１０の右側面１０Ａ及びアーム連結片９２の右側面９２Ａ）の面を、広告看板２の被照射面２Ａ側に近づける方向に回動し、これにより、上記メンテナンス位置Ｐ２においては、放電ランプ１１の取出口２０と被照射面２Ａとの間の距離Ｄ１と共に、操作レバー９０と被照射面２Ａとの間の距離が短縮される。
【００１７】
ここで、本実施形態では、例えば、縦×横の寸法が６Ｍ（メートル）×４Ｍ（メートル）程度の広告看板２を照明するに際し、上記照明位置Ｐ１において、被照射面２Ａから器具本体１０の頂部１０Ｂまでの垂直な距離である出幅Ｄ２（図１、図４参照）を０．９５Ｍ（メートル）とし、また、広告看板２の被照射面２Ａから照明器具５の放電ランプ１１の中心までの垂直な距離Ｄ１（図１参照）を略０．６６Ｍ（メートル）とするように照明器具５を配置している。さらに、被照射面２Ａから連結部９のボルト１００までの距離Ｄ３は約０．６Ｍ（図示例では０．５４２Ｍ）とされている。
【００１８】
そして、図４（Ｂ）に示すように、２本のボルト１００、１０１を緩めて照明器具５を連結部９のボルト１００を中心に回動させることで、メンテナンス位置Ｐ２においては、放電ランプ１１のランプホルダー１１Ｃから被照射面２Ａまでの距離Ｄ１が約０．４２Ｍまで短縮される。一般的な成人であれば約０．５Ｍ程度離れた場所まで手を届かせることができるため、作業者は、高所作業車を使用せずとも、広告看板２が設置された壁面側から照明器具５にアクセスし、また、照明器具５を回動させて取出口２０及び操作レバー９０を壁面側、すなわち、作業者側に引き寄せ、メンテナンス作業を行うことができる。
また、メンテナンス位置Ｐ２を水平角θ＝６０度の位置とし、照明器具５をそれ以上回動させない構成とすることで、放電ランプ１１のランプホルダー１１Ｃと被照射面２Ａとの間の距離を規制し、被照射面２Ａとの間に放電ランプ１１を引き出すための十分なスペースが確保されるようになっている。
【００１９】
以上説明したように、本実施形態によれば、照明器具５をアーム４との連結部９を中心に傾動する操作レバー９０、及び、放電ランプ１１の取出口２０の両方を照明器具５の右側の面に設けると共に、連結部９とアーム４を締結するボルト１００を中心に照明器具５を水平面内で回動可能に構成したため、作業者は、メンテナンス時に、照明器具を回動させることで、これら操作子及び取出口を壁面側（被照射面２Ａ側）に引き寄せることができる。これにより、高所作業車等を使用せずとも壁面側から照明器具５にアクセスし、照明器具のランプ交換やエーミング調整等のメンテナンス作業を容易に行うことが可能となる。
【００２０】
特に、本実施形態によれば、被照射面２Ａから連結部９のボルト１００までの距離Ｄ３を約６０ｃｍ以下とし、照明器具５をメンテナンス位置Ｐ２まで回動させたときに、被照射面２Ａから放電ランプ１１の取出口２０及び操作レバー９０の各々までの距離が、上記被照射面２Ａから連結部９のボルト１００までの距離Ｄ３よりも短くなるようにしたため（本実施形態では約０．４２Ｍ以下）、メンテナンス作業時には、作業者が壁面側から手の届く範囲に、ボルト１００や放電ランプ１１の取出口２０、操作レバー９０が位置することとなり作業が容易となる。
【００２１】
また、本実施形態によれば、水平面内での照明器具５の回動範囲を、照明器具５が被照射面２Ａを照明するときの配置位置である照明位置Ｐ１と、照明器具５がメンテナンスされる時の配置位置であるメンテナンス位置Ｐ２との間だけに規制したため、メンテナンス位置Ｐ２で照明器具５に対してメンテナンス作業を行った後、回動が規制されるまで照明器具５を回動させることで、照明器具５を照明位置Ｐ１に容易に復帰させることができる。
【００２２】
なお、上述した実施の形態は、あくまでも本発明の一態様を示すものであり、本発明の範囲内で任意に変形および応用が可能であることは勿論である。
例えば、上述した実施形態では、縦型配光を有する照明器具５を例示したが、これに限らず、縦×横が４Ｍ×６Ｍ程度の被照射面を有する広告看板や壁面の投光照明に用いて好適な横型配光を有する照明器具にも本発明を適用することが可能である。
【図面の簡単な説明】
【００２３】
【図１】本発明の実施形態に係る照明装置の構成を示す図である。
【図２】同照明器具の正面及び側面を共に示す図である。
【図３】同照明器具の底面を示す図である。
【図４】同照明器具の照明位置及びメンテナンス位置を示す平面図である。
【符号の説明】
【００２４】
１  照明装置
２  広告看板
２Ａ  被照射面
４  アーム
５  照明器具
７  投光開口
９  連結部
１０  器具本体
１１  放電ランプ
１１Ｃ  ランプホルダー
１２    反射鏡
２０  取出口
９０  操作レバー
９５  回動規制溝
１００、１０１  ボルト
Ｐ１  照明位置
Ｐ２  メンテナンス位置
【図１】
2008218183.tif 000003
【図２】
2008218183.tif 000004
【図３】
2008218183.tif 000005
【図４】
2008218183.tif 000006